(57)【要約】【課題】ＴＥバンドにおけるいたずら防止機能とペットボトル容器からの離脱機能を併せ持つ合成樹脂製のピルファープルーフキャップの提供を図る。【解決手段】ペットボトル容器の口頚ネジ部に螺合されるキャップ本体と、該キャップ本体のスカート部の下端に破断ブリッジを介して連結されるＴＥバンドと、から成る合成樹脂製のピルファープルーフキャップにおいて、ＴＥバンドは、リング状のバンドの一部を切断して略Ｃ字状のバンドに形成する分割部を設け、キャップ本体からＴＥバンドが分離される際に発生する円周方向に働く開栓応力に対しては、係合面と被係合面との係合状態が維持されると共に、ペットボトル容器の落とし込み溝からＴＥバンドを取り外す際の中心から外方向に働く分離応力に対しては、係合面と被係合面との係合状態を容易に解除できる構成を採用した。【選択図】図１
2012254809.tif 000002
【特許請求の範囲】
【請求項１】
ペットボトル容器の口頚ネジ部に螺合されるキャップ本体と、
該キャップ本体のスカート部の下端に破断ブリッジを介して連結されるＴＥバンドと、
から成る合成樹脂製のピルファープルーフキャップにおいて、
前記ＴＥバンドは、リング状のバンドの一部を切断して略Ｃ字状のバンドに形成する分割部を設けて成り、
前記分割部の一端には、他端を係合する係合面を少なくとも１以上設け、
該他端には、前記係合面によって係合される被係合面を少なくとも１以上設けて成り、
前記キャップ本体から前記ＴＥバンドが分離される際に発生する円周方向に働く開栓応力に対しては、前記係合面と前記被係合面との係合状態が維持されると共に、
前記ペットボトル容器の落とし込み溝から前記ＴＥバンドを取り外す際の中心から外方向に働く分離応力に対しては、前記係合面と前記被係合面との係合状態が解除されることを特徴とするピルファープルーフキャップ。
【請求項２】
前記ＴＥバンドの分割部の周辺に、係合状態の安全性を確認するための目印を設けたことを特徴とする請求項１記載のピルファープルーフキャップ。
【発明の詳細な説明】
【技術分野】
【０００１】
本発明は、タッパーエビネンスバンドにおけるいたずら防止機能とペットボトル容器からの離脱機能を併せ持つ合成樹脂製のピルファープルーフキャップに関する。
【背景技術】
【０００２】
１９９５年に制定された容器包装リサイクル法により、飲料業界の１Ｌ未満の飲料用ペットボトルの自主規制が１９９６年に解除され、小型容量のペットボトル飲料が広く普及し流通するようになった。
【０００３】
そのペットボトル飲料の普及に伴ってペットボトル容器の中に除草剤や液体洗剤を混入させるいたずら事件が発生し、その防止手段としてタッパーエビネンス（いたずら防止）機能を備えたピルファープルーフキャップが開発され、今日に至っている。
【０００４】
ピルファープルーフキャップのいたずら防止機能は、キャップ本体を反時計回りに回すとキャップ本体とタッパーエビネンスバンド(以下ＴＥバンドと呼ぶ)を繋ぐ破断ブリッジが千切れ、略１回りしたところでキャップ本体とＴＥバンドが完全に切り離される機能と、該ＴＥバンドが切り離される同時にペットボトル容器の口頚部の密栓状態が解除される二つの機能を備えているものである。係るピルファープルーフキャップには、開封後もＴＥバンドがキャップ本体に繋がっている一体型（ラチェット式）タイプと、開封後はＴＥバンドがキャップ本体から完全に分離される分離型タイプの二つのタイプがある。
【０００５】
一体型タイプのピルファープルーフキャップとしては、例えば、「ラチェット式螺子キャップ」（特許文献１）などの技術が提案されている。しかし、該提案は破断性、分離性、及びリサイクル性には優れるものの、外観美観性、リキャップ性、防犯性、安全性、及び分別廃棄性には問題があり、特に環境問題や製造物責任法（ＰＬ法）の観点から、現在では合成樹脂製のピルファープルーフキャップに使用されることが少なくなってきているという現状にある。
【０００６】
他方、分離型タイプのピルファープルーフキャップとしては、外観美観性、リキャップ性、防犯性、安全性、及び分離性に優れており、現在のペットボトルキャップのほとんどに採用されるようになった。しかし、分離型タイプのピルファープルーフキャップは、ＴＥバンドが使用済みのペットボトル容器に装着されたままの状態となることから、分別廃棄性、リサイクル性に問題点が残るものであり、特に「簡易洗浄」と、「ラベルの剥離」と、「キャップの分離」と言う容器リサイクル法に定められた排出者の義務を負うことができないでいるものである。
【０００７】
そこで、係るＴＥバンドを分割して脱着可能とすることが考えられるが、分割構造とするには以下に示す問題点を解決しなければならない。
（1）ペットボトル容器の口頚部がＴＥバンドの分割部の切り込みの間から露出することによってＴＥバンドが破壊された不良品と見られて商品価値を下げる外観美観性を損なうおそれの問題。
（2）キャップの開栓時において、ＴＥバンドが円周方向に伸びて拡張し、落とし込み溝の上段フランジを乗り越えてＴＥバンドがキャップ本体から破断しないという破断性の問題。
（3）ＴＥバンドがリキャップ時にキャップ本体に連なっていて、リキャップ作業がやり辛いリキャップ性の問題。
（4）ＴＥバンドの分割部の切込みを悪意的に細工することができない防犯性の問題。
（5）ＴＥバンドを幼児が飲み込む危険や、キャップ本体に繋がったバンドの先端で目を刺したり、指を切る危険がない安全性の問題。
（6）ＴＥバンドをペットボトル容器本体から道具などを用いることなく簡単に分離することができる分離性の問題。
（7）ＴＥバンドの安易な投げ捨て行為や、分別収集作業における人件費の負担を軽減することができる分別廃棄性の問題。
（8）ペットボトル容器とキャップが完全に分離されるリサイクル処理コストの抑制と、マテリアルリサイクルの品質向上を図るリサイクル性向上の問題。
【０００８】
このような問題に鑑み、従来より、上記の分離型タイプのピルファープルーフキャップの問題点を解決しようとする提案が種々なされている。その構造を大別すると、ＴＥバンドにスリットを入れて分断したものと、ＴＥバンドにスリットを入れて弱化ブリッジで繋いだものに別けることができる。
【０００９】
ＴＥバンドにスリットを入れて分断したものとしては、例えば、「容器蓋」（特許文献２）や、「ピルファープルーフ特性を有する合成樹脂製容器蓋」（特許文献３）が提案されている。
【００１０】
しかしながら、それらの「容器蓋」ならびに「ピルファープルーフ特性を有する合成樹脂製容器蓋」の提案は、ＴＥバンドのスリットが完全に分離しているため、分離性、リキャップ性、分別廃棄性、及びリサイクル性に優れるが、外観美観性、破断性、防犯性、及び安全性には問題が残るものであった。
【００１１】
また、ＴＥバンドにスリットを入れて弱化ブリッジで繋いだものとしては、例えば、「ピルファープルーフキャップ」（特許文献４）が提案されている。
【００１２】
しかしながら、係る「ピルファープルーフキャップ」の提案は、ＴＥバンドのスリット下端が弱化ブリッジで繋いであるため、破断性、リキャップ性、防犯性、及び安全性には優れるが、外観美観性、分離性、分別廃棄性、及びリサイクル性には問題が残るものであった。
【００１３】
また、キャップ本体の緩み止め防止機能を向上させた「瓶及びキャップ」の技術が提案されている（特許文献５参照）。
【００１４】
係る技術は本願発明とは課題が大きく相違しており、また、分離応力の向きや分離に関する記載も示唆もないが、一見すると、当該文献の図１、図５、図１０にはＴＥバンドを分割した構成が記載されている。しかしながら、係る技術は、ＴＥバンドによってキャップ本体の緩みを防止する技術であり、本願発明とは課題及び解決手段を大きく異にするものである。また、係る技術によると、弾性による変形量を許容するための範囲を制限する手段としては、分割部に隙間が形成されることが必須条件であって、その結果、分割部には工具等でいたずらされる可能性がある隙間が生じるものであり、係る隙間の存在は、ＴＥバンドそもそもの目的であるタッパーエビネンス機能を低下させてしまうという大きな問題を残すものであった。
【００１５】
以上のように従来のピルファープルーフキャップの何れの提案も、ＴＥバンドにおける外観美観性、破断性、リキャップ性、防犯性、安全性、分離性、分別廃棄性、及びリサイクル性の全てを満たすことができないものであり、特に致命的な問題点は、ＴＥバンドにスリットを入れて分断したものにおいては、ＴＥバンドが開栓時に円周方向に伸びて拡張し、落とし込み溝の上段フランジを乗り越えてＴＥバンドが千切れない状態になる破断性問題と、ペットボトル容器の口頚部が分割部の切り込みの間から露出して商品価値を下げる外観美観性の問題と、スリットを意図的に細工することができる防犯性の問題が指摘される。他方、ＴＥバンドにスリットを入れて弱化ブリッジで繋いだものにおいては、ＴＥバンドをペットボトル容器本体から道具などを用いなくては切り離すことができない分離性の問題が指摘されるものであり、その破断性、外観美観性、防犯性、及び分離性の問題を全て解決できるピルファープルーフキャップは、現在においても提供されてはいないものである。
【００１６】
本願発明者は、合成樹脂製のピルファープルーフキャップのＴＥバンドにおける上記の全ての問題点を解決するために、開栓応力と分離応力の向きの相違に着目し、キャップ本体からＴＥバンドが切り離される際に発生する円周方向に働く開栓応力に対しては、係合面と被係合面の係合状態を維持し、容器の落とし込み溝からＴＥバンドを取り外す際の中心から外方向に働く分離応力に対しては、係合面と被係合面の係合状態が解除することができる構成のＴＥバンドを採用することができれば、ＴＥバンドのＴＥ性と分別廃棄の分離性を併せ持つことができるのではないかとの着想の下、本出願における「ピルファープルーフキャップ」の提案に至ったものである。なお、本書面中における係合面とは、前記開栓応力により引張応力を加える側の面形状をいい、被係合面とは、該開栓応力により引張応力を加えられる側の面形状をいうものとる。また、係合面と被係合面とは隙間を設けない接触状態にあるものである。
【先行技術文献】
【特許文献】
【００１７】
【特許文献１】特開２００７-４５４８５号公報
【特許文献２】特開平６-１５６５１６号公報
【特許文献３】特開昭５７-２８７６７号公報
【特許文献４】特開２００３-５４５９７号公報
【特許文献５】特開２００２−１２０８５２号公報
【発明の概要】
【発明が解決しようとする課題】
【００１８】
本発明は上記問題点に鑑み、ＴＥバンドにおけるいたずら防止機能とペットボトル容器からの離脱機能を併せ持つ合成樹脂製のピルファープルーフキャップの提供を図る。
【課題を解決するための手段】
【００１９】
本発明は上記目的を達成するためになされるもので、ペットボトル容器の口頚ネジ部に螺合されるキャップ本体と、該キャップ本体のスカート部の下端に破断ブリッジを介して連結されるＴＥバンドと、から成る合成樹脂製のピルファープルーフキャップにおいて、前記ＴＥバンドは、リング状のバンドの一部を切断して略Ｃ字状のバンドに形成する分割部を設けて成り、前記分割部の一端には、他端を係合する係合面を少なくとも１以上設け、該他端には、前記係合面によって係合される被係合面を少なくとも１以上設けて成り、前記キャップ本体から前記ＴＥバンドが分離される際に発生する円周方向に働く開栓応力に対しては、前記係合面と前記被係合面との係合状態が維持されると共に、前記ペットボトル容器の落とし込み溝から前記ＴＥバンドを取り外す際の中心から外方向に働く分離応力に対しては、前記係合面と前記被係合面との係合状態が解除される構成を採用した。
【００２０】
また本発明は、前記ＴＥバンドの分割部の周辺に係合状態の安全性を確認するための目印を設けた構成を採用した。
【発明の効果】
【００２１】
本発明に係るピルファープルーフキャップによれば、分割部の一端には、他端を係合する係合面を少なくとも１以上設けられ、該他端には、係合面によって係合される被係合面を少なくとも１以上設けられていることによって、キャップ本体からＴＥバンドが分離される際に発生する円周方向に働く開栓応力に対しては、係合面と被係合面との係合状態が維持する構造のＴＥバンドを備えたことによって、破断性、外観美観性、防犯性、及び分離性の確保ができるという優れた効果を奏する。
【００２２】
また本発明に係るピルファープルーフキャップによれば、ペットボトル容器の落とし込み溝からＴＥバンドを取り外す際の中心から外方向に働く分離応力に対しては、係合面と被係合面との係合状態を容易に解除できることから、道具などを使用することなく簡単にＴＥバンドを分離することができるという優れた効果を奏する。
【００２３】
また本発明に係るピルファープルーフキャップによれば、ペットボトル容器とＴＥバンドが業務用ならびに家庭用と共に完全に分離することができるため、リサイクル性の能率向上、再生コストの削減、分別作業における人件費の削減、リサイクル処理コストの抑制、及びマテリアルリサイクルの品質向上も図れるという優れた効果を奏する。
【００２４】
また本発明に係るピルファープルーフキャップによれば、分割部の形状が意図的に形成される幾何学形状であるため、外観美観性と安全性を同時に備えるＴＥバンドの提供ができるという優れた効果も奏する。
【図面の簡単な説明】
【００２５】
【図１】本発明に係るピルファープルーフキャップの全体の形状を示す説明図である。（実施例１）
【図２】本発明に係るピルファープルーフキャップの使用状態を示す説明図である。
【図３】本発明に係るピルファープルーフキャップの作用状態を示す説明図である。
【図４】本発明に係るピルファープルーフキャップの係合面の実施例を示す説明図である。（実施例２）
【図５】本発明に係るピルファープルーフキャップの別の係合面の実施例を示す説明図である。（実施例３）
【図６】本発明に係るピルファープルーフキャップの使用手順を示す説明図である。
【図７】本発明に係るピルファープルーフキャップの安全性を確認する目印を示す説明図である。（実施例４）
【図８】本発明に係るピルファープルーフキャップのいたずら行為を示す説明図である。
【図９】本発明に係るピルファープルーフキャップの従来の実施例を示す説明図である。
【発明を実施するための形態】
【００２６】
本発明のピルファープルーフキャップは、リング状のＴＥバンドの一部を切断して略Ｃ字状のバンドに形成する分割部を設け、キャップ本体からＴＥバンドが分離される際に発生する円周方向に働く開栓応力に対しては、係合面と被係合面との係合状態が維持されると共に、ペットボトル容器の落とし込み溝からＴＥバンドを取り外す際の中心から外方向に働く分離応力に対しては、係合面と被係合面との係合状態を容易に解除できる構成を採用したことを最大の特徴とするものである。以下、本発明を実施するための実施形態を図面に基づいて説明する。
【００２７】
本発明に係るピルファープルーフキャップにおけるＴＥバンドの分割部の係合面ならびに被係合面の形状は、下記に述べる実施例に限定されるものではなく、本発明の技術的思想の範囲内、即ち、開栓応力と分離応力との関係における分割部の係合状態として、同一の作用効果を発揮できる形状及び寸法の範囲内で変更することができるものである。
【実施例１】
【００２８】
図１は、本発明に係るピルファープルーフキャップの全体の形状を示す説明図である。
図１（a）はピルファープルーフキャップ１の全体斜視図を示し、図１（b）はピルファープルーフキャップ１の底面図を示す。
本発明におけるピルファープルーフキャップ１は、ペットボトル容器３０の口頚ネジ部３１に螺合されるキャップ本体１０と、該キャップ本体１０のスカート部１１の下端に破断ブリッジ１２を介して連結されるＴＥバンド２０と、から成る合成樹脂製のピルファープルーフキャップ１であって、ＴＥバンド２０は、リング状のバンドの一部を切断して略Ｃ字状のバンドに形成する分割部２１を設けて構成される。
【００２９】
図１（c）はＴＥバンド２０の分割部２１の要部拡大図を示す。
分割部２１の一端２２には、他端２３を係合する係合面２４を少なくとも１以上設け、該他端２３には、係合面２４によって係合される被係合面２５を少なくとも１以上設けて成り、図３に示すような、キャップ本体１０からＴＥバンド２０が切り離される際に発生する円周方向に働く開栓応力Ｗに対しては、係合面２４と被係合面２５との係合状態が維持されると共に、ペットボトル容器３０の落とし込み溝３２からＴＥバンド２０を取り外す際の中心から外方向に働く分離応力Ｒに対しては、係合面２４と被係合面２５との係合状態が解除されるものである。
【００３０】
キャップ本体１０は、ペットボトル容器３０の口頚ネジ部３１に螺合されるポリプロピレン樹脂製等の密閉キャップで、スカート部１１にはスベリ止め用の複数本のナール線が施され、下端には、破断ブリッジ１２によって切り離されるフラップ１３が内設されたＴＥバンド２０が連結されている。天面内側には、ＴＥバンド２０が切り離される同時にキャップ本体１０内部のパッキンとペットボトル容器３０の口頚上部との密栓状態が音と共に解除されることでペットボトル容器３０の内部に外気が入り込み、飲料水の液面が下がる従来技術のいたずら防止機能を備えることができるものである。なお、キャップ色は基本的には白色をしているが、高温度帯用ではオレンジ色、冷凍温度帯用ではブルー色が施されているのが一般的である。
【００３１】
ＴＥバンド２０は、リング状のバンドの一部を切断して略Ｃ字状のバンドに形成する分割部２１を設けて成り、キャップ本体１０と同じくポリプロピレン樹脂製でキャップ本体１０に対してやや肉厚のテーパ状の平滑面を形成してキャップ本体１０の下端に破断ブリッジ１２を介して連結されるもので、キャップ本体１０を反時計回りに回すとキャップ本体１０とＴＥバンド２０を繋ぐ破断ブリッジ１２が千切れ、略１回り程回り切ったところでキャップ本体１０とＴＥバンド２０が完全に切り離される機能を有している。
【００３２】
分割部２１の一端２２には、他端２３を係合する係合面２４を少なくとも１以上設け、該他端２３には、係合面２４によって係合される被係合面２５を少なくとも１以上設けて構成されるものである。加工方法は、射出成形加工またはカッター切断加工によるものが一般的であるが、その加工方法に関しては特に限定するものではない。また分割部２１がＴＥバンド２０の内側に設けられているフラップ１３がペットボトル容器３０の上段フランジ３３に係止する位置より下方に設けられているため、開栓時にＴＥバンド２０が伸びて拡張することで上段フランジ３３に乗り上げたりすることがない構造で構成するものである。
【００３３】
ペットボトル容器３０は、ポリエチレンテレフタレート（ＰＥＴ）樹脂製等の190ｍｌ〜4Ｌ容量までの無色透明なペットボトル等であって、形状は、従来型ならびに炭酸用の凸半球型ペットボトルと、炭酸用の丸型ペットボトルと、無炭酸用の角型ペットボトルがある。部品構成は、ピルファープルーフキャップ１をペットボトル容器３０の口頚ネジ部３１で螺合し、該口頚ネジ部３１の下方部に設けられる上段フランジ３３と下段フランジ３４で形成される落とし込み溝３２にＴＥバンド２０が収納されて構成される。
【００３４】
図２は、本発明に係るピルファープルーフキャップの使用状態を示す説明図である。
ピルファープルーフキャップ１の開封状態を図を基に説明すると、キャップ本体１０を反時計回りに回すとキャップ本体１０とＴＥバンド２０が、120〜180度程一緒に回り、180度付近からキャップ本体１０とＴＥバンド２０を繋ぐ破断ブリッジ１２が「メリメリ」と言う音を立てながら離れ始め、略270度超える辺り（破断後にリークを開始する角度をＬＢ角度と言う）から「ブチッ」と言う音と共に破断ブリッジ１２が千切れ、略270〜360度程回り切ったところでキャップ本体１０とＴＥバンド２０が完全に切り離される機能と、該ＴＥバンド２０が切り離される同時にキャップ本体１０の天面内部のパッキンとペットボトル容器３０の口頚上部との密栓状態が「シュポ！」と言う音と共に解除されることでペットボトル容器３０の内部に外気が入り込み、充填される飲料水の液面が下がって開封される機能を備えるものである。
【００３５】
図３は、本発明に係るピルファープルーフキャップの作用状態を示す説明図である。
図３（a）は、ＴＥバンド２０の円周方向の開栓応力Ｗに対する説明図を示す。
分割部２１の一端２２には、他端２３を係合する係合面２４を少なくとも１以上設け、該他端２３には、係合面２４によって係合される被係合面２５を少なくとも１以上設けて成キャップ本体１０からＴＥバンド２０が切り離される際に発生する円周方向に働く開栓応力Ｗに対しては、係合面２４と被係合面２５との係合状態が維持されるものである。
【００３６】
図３（b）は、ＴＥバンド２０の外方向に働く分離応力Ｒに対する説明図を示す。
分割部２１の一端２２には、他端２３を係合する係合面２４を少なくとも１以上設け、該他端２３には、係合面２４によって係合される被係合面２５を少なくとも１以上設けて成り、ペットボトル容器３０の落とし込み溝３２からＴＥバンド２０を取り外す際の中心から外方向に働く分離応力Ｒに対しては、係合面２４と被係合面２５との係合状態が解除されるものである。
【実施例２】
【００３７】
図４は、本発明に係るピルファープルーフキャップの係合面の実施例を示す説明図であり、図４（a）〜（ｄ）の各図は、分割部２１を構成する係合面２４ならびに被係合面２５の形状を例示したものである。いずれの形状も、キャップ本体１０からＴＥバンド２０が切り離される際に発生する円周方向に働く開栓応力Ｗに対しては、係合面２４ならびに被係合面２５との係合状態が嵌め込み構造によって強力に維持されるものである。また、図４に例示した形状は該開栓応力Ｗを２箇所以上に分散させている。以下、其々の形状を採用した場合の作用効果について説明する。
【００３８】
図４（a）は、極めてシンプルな三角形構造により係合される構成の係合面形状を示したものであり、係合面２４ならびに被係合面２５を形成する辺数が極めて少ないことから加工が容易なものである。係る形状を採用した場合において、円周方向に開栓応力Ｗが作用すると、係合面２４及び被係合面２５を介して、係合面２４側のＴＥバンド２０及び被係合面２５側のＴＥバンド２０の其々に引張応力を加えると共に、該円周方向に対する垂直方向（以下、単に垂直方向という。）の応力として、係合面２４側のＴＥバンド２０には上下方向への圧縮応力と、被係合面２５側のＴＥバンド２０には中心方向への圧縮応力とが、其々働く構成となる。従って、分割部２１の係合面２４側のＴＥバンド２０の上下における最小幅部となる鋭角部には、引張応力のみならず、これを起点として開口しようとするモーメントも生じるため、これに耐え得る耐曲げ応力も考慮し、素材の強度等から寸法ならびに形状が決定されるものである。
【００３９】
図４（b）は、極めてシンプルな円形構造の係合面形状を示したものであり、係合面２４ならびに被係合面２５を円形の曲面で形成することで集中荷重の発生を防ぎ、クラックの発生を抑制して破断性を向上させるものである。また、分割部２１の製造段階で形成した切込みであって、後から故意に細工されたものではないと容易に認識できる形状であり、ペットボトル飲料等を購入する際の安心感にも寄与する。係る形状を採用した場合は、係合面２４は開栓応力Ｗにより被係合面２５の円周方向には引張応力を加えると共に、垂直方向に対しては被係合面２５に圧縮応力を加える構造となる。なお、鋭角部を有しないため応力分布がなだらかであり、前記図４（ａ）と比較するとクラック発生の抑制効果が高い。但し、前記モーメントについては前記図４（ａ）と同様、分割部２１の係合面２４側のＴＥバンド２０の上下における幅が最小となる部分には、引張応力のみならず、これを起点として開口しようとするモーメントに耐え得る耐曲げ応力も考慮し、素材の強度等から寸法ならびに形状が決定されるものである。
【００４０】
図４（ｃ）は、係合面２４と被係合面２５の係合面が垂直方向に接触面を形成する形状を例示したものである。係る形状を採用した場合において、円周方向に開栓応力Ｗが作用すると、係合面２４及び被係合面２５を介して、係合面２４側のＴＥバンド２０及び被係合面２５側のＴＥバンド２０の其々最小幅部に引張応力が働く構成である。従って、係合面２４側のＴＥバンド２０及び被係合面２５側のＴＥバンド２０の其々の幅が最小となる部分には、該引張応力に耐え得る耐引張荷重を考慮し、素材の強度等から寸法ならびに形状が決定されるものである。
【００４１】
図４（ｄ）は、円形構造の係合面２４ならびに被係合面２５が連続して形成して係合される係合面形状を示したものであり、前記図４（ｂ）と同様に、係合面２４ならびに被係合面２５を円形の曲面で形成することで集中荷重の発生を防ぎ、クラックの発生を抑制して破断性を向上させるものである。また、分割部２１の製造段階で形成した切込みであって、後から故意に細工されたものではないと容易に認識できる形状であり、ペットボトル飲料等を購入する際の安心感にも寄与する。係る形状を採用した場合は、係合面２４は開栓応力Ｗにより被係合面２５の円周方向には引張応力を加えると共に、垂直方向に対しては被係合面２５に圧縮応力を加える構造となる。なお、鋭角部を有しないため応力分布がなだらかであり、前記図４（ａ）と比較するとクラック発生の抑制効果が高い。但し、前記モーメントについては前記図４（ａ）と同様、分割部２１の係合面２４側のＴＥバンド２０の上下における幅が最小となる部分には、引張応力のみならず、これを起点として開口しようとするモーメントに耐え得る耐曲げ応力も考慮し、素材の強度等から寸法ならびに形状を決定されるものである。なお、係る形状では円周方向に働く開栓応力Ｗを３箇所に分散して破断し難い構造としている点、及び開口しようとする曲げ応力を被係止面２５側のＴＥバンド２０にも同様に働かせている点で、前記図４（ａ）〜（ｃ）とその構成を異にしている。
【実施例３】
【００４２】
図５は、本発明に係るピルファープルーフキャップの別の係合面の実施例を示す説明図である。図５（a）及び図５（ｂ）の各図に示した係合面形状において特徴的なのは、キャップ本体１０からＴＥバンド２０が切り離される際に発生する円周方向の開栓応力Ｗが係合面２４及び被係合面２５に作用すると、垂直方向に向かう圧縮応力とモーメントによる回転方向が対向関係となる点である。即ち、係合面２４側のＴＥバンド２０により被係合面２５側のＴＥバンド２０が引っ張られると、図５に示すように係合面が傾斜しているため、ＴＥバンド２０一端２２は円周方向の開栓応力Ｗが傾斜角分だけ下方に向かうベクトルとなり、多端２３は、逆に上方へ向かうベクトルとなり、相互に対等且つ対向の応力が中心方向に働くため、離れにくくなる作用を生じる構成の相互食込状傾斜面形状とした点である。以下、其々の形状を採用した場合の作用効果について説明する。なお、図５に例示した形状は、該開栓応力を１箇所のみの構成とした場合を例示しているが、２箇所以上として応力を分散させてもよい。
【００４３】
図５（a）は、分割部２１の切込みを、相互食込状傾斜面形状にする場合において、最もシンプルな三辺構造により前記作用効果を発揮させることが可能となる係合面形状を示したものである。係合面２４ならびに被係合面２５を形成する辺数が極めて少ないことから分割部２１の加工を容易なものとするものである。
【００４４】
図５（b）は、前記図５（ａ）と同様に、分割部２１の切込みを相互食込状傾斜面形状としつつ、クランク状の屈曲形状を形成して、ＴＥバンド２０の垂直方向における最小幅部を分布させることで、耐引張荷重の向上を図るものである。
【００４５】
図６は、本発明に係るピルファープルーフキャップの使用手順を示す説明図である。
（1）ペットボトル容器３０がピルファープルーフキャップ１によって密封されている。
（2）キャップ本体１０を反時計回りに回すとＴＥバンド２０の破断ブリッジ１２が千切れて切り離される同時に、キャップ本体１０内部のパッキンとペットボトル容器３０の口頚上部との密栓状態が解除され、開封することによってキャップ本体１０が外される。この時、ＴＥバンド２０の分割部２１には円周方向に開栓応力Ｗが働くが、キャップ本体１０とＴＥバンド２０は破断されるまで半時計方向に同時に回転する。
（3）ＴＥバンド２０がペットボトル容器３０の口頚ネジ部３１の下方部に設けられる上段フランジ３３と下段フランジ３４で形成される落とし込み溝３２に分割部２１が係合された状態で落とし込まれ、収納される。
（4）ＴＥバンド２０の分割部２１を指先で軽く中心から外方向に分離応力Ｒをかけて引いてやると、ＴＥバンド２０はペットボトル容器３０の落とし込み溝３２から自然に外れる。
（5）ＴＥバンド２０をペットボトル容器３０から離脱させる。
（6）終了
【００４６】
以上のように、道具や大きな分離応力Ｒを必要とすることなく、ＴＥバンド２０をペットボトル容器３０から容易に離脱させることができるものである。
【実施例４】
【００４７】
図７は、本発明に係るピルファープルーフキャップの安全性を確認する目印を示す説明図である。ＴＥバンド２０の分割部２１の周辺に係合状態の安全性を目視するための目印２９を設けることによって、製造段階で形成した切込みであるか否かを確認できると同時に、使用するユーザーに安心感を与える構成とするものである。例えば、図７（a）は、分割部２１の切込みの両側にドットホール２９aを設けてその領域内に設けられた切込みの安全性を視認させる方法を示し、図７（b）は、分割部２１の切込みの周辺エリアを色分けして切込みの安全性を視認させる方法を示し、図７（c）は、分割部２１の切込み自体に面取りを設けたり、切込み自体を色付けして目立たせる方法を採ることもできるものである。
【００４８】
図８は、本発明に係るピルファープルーフキャップのいたずら行為を示す説明図である。
図８（a）は正常な状態を示しており、ＴＥバンド２０がペットボトル容器３０の上段フランジ３３と下段フランジ３４で形成される落とし込み溝３２に落とし込まれ、収納されている。
【００４９】
図８（b）はいたずら行為をしようとする状態を示す。いたずら行為をしようとする場合、分割部２１の切込みの係合面２４ならびに被係合面２５の付け根２８をカッターＫなどで細工しようとすると、係合面２４を形成する舌片２６が根元から脱落して溝２７が繰り抜かれた状態になり、さらに付け根２８にカッターＫの切れ目が入ることにより、いたずら行為の痕跡が明確に視認できる状態となり、結果的にいたずら行為の防止が図れるものである。
【００５０】
図９は、本発明に係るピルファープルーフキャップの従来の実施例を示す説明図である。
図９（a）〜（ｄ）の各図は、従来のスリット４０の実施例を示すものである。
ＴＥバンド２０にスリット４０を入れて分断したもので、ＴＥバンド２０のスリット４０が円周方向に完全に分離しているため、外観美観性、破断性、防犯性、及び安全性に問題があるものであった。
【００５１】
図９（e）は、従来のスリット４０の別の実施例を示すものである。
ＴＥバンド２０のスリット４０の上端が弱化ブリッジ４１で繋いであるものである。
この状態の弱化ブリッジ４１は、キャップ本体１０の回転によって千切れることができないばかりか極小または極細の弱化ブリッジ４１であっても、材質の強度が極めて高いことから工具等を使用しなければ破断することができないため、破断性及び分離性に問題があるものであった。また、キャップ本体１０のスカート部１１の下端部がキャッピング時に末広がりに拡張してしまう可能性もあるものである。
【００５２】
図９（f）は、従来のスリット４０の別の実施例を示すものである。
ＴＥバンド２０のスリット４０の上端が弱化ブリッジ４１で繋いであるものである。
この状態の弱化ブリッジ４１は、キャップ本体１０の回転によって千切れることができないばかりか極小または極細の弱化ブリッジ４１であっても、材質の強度が極めて高いことから工具等を使用しなければ破断することができないため、分離性に問題があるものである。
【産業上の利用可能性】
【００５３】
本発明のピルファープルーフキャップは、ペットボトル飲料容器のＴＥ性を有するキャップを実施例として説明しているが、飲料用のピルファープルーフキャップ以外、例えば食品容器用、医療容器用、および工業用容器用のピルファープルーフキャップとしても広く利用することができるもので、本発明のピルファープルーフキャップの産業上の利用可能性は大とするものと解する。
【符号の説明】
【００５４】
１    ピルファープルーフキャップ
１０  キャップ本体
１１  スカート部
１２  破断ブリッジ
１３  フラップ
２０  ＴＥバンド
２１  分割部
２２  一端
２３  他端
２４  係合面
２５  被係合面
２６  舌片
２７  溝
２８  係合面の付け根
２９  目印
２９aドットホール
３０  ペットボトル容器
３１  口頚ネジ部
３２  落とし込み溝
３３  上段フランジ
３４  下段フランジ
４０  スリット
４１  弱化ブリッジ
Ｗ    開栓応力
Ｒ    分離応力
Ｋ    カッター
【図１】
2012254809.tif 000003
【図２】
2012254809.tif 000004
【図３】
2012254809.tif 000005
【図４】
2012254809.tif 000006
【図５】
2012254809.tif 000007
【図６】
2012254809.tif 000008
【図７】
2012254809.tif 000009
【図８】
2012254809.tif 000010
【図９】
2012254809.tif 000011
【手続補正書】
【提出日】平成23年10月16日(2011.10.16)
【手続補正１】
【補正対象書類名】特許請求の範囲
【補正対象項目名】全文
【補正方法】変更
【補正の内容】
【特許請求の範囲】
【請求項１】
ペットボトル容器の口頚ネジ部に螺合されるキャップ本体と、
該キャップ本体のスカート部の下端に破断ブリッジを介して連結されるＴＥバンドと、
から成る合成樹脂製のピルファープルーフキャップにおいて、
前記ＴＥバンドは、リング状のバンドの一部を切断して略Ｃ字状のバンドに形成する分割部を設けて成り、
前記分割部には一切の弱化ブリッジ部を設けずに、
該分割部の一端には、他端を係合する係合面を少なくとも１以上設け、
該他端には、前記係合面によって係合される被係合面を少なくとも１以上設けて成り、
前記係合面と前記被係合面とは隙間を設けない接触状態で略Ｃ字状の前記ＴＥバンドを形成し、
前記分割部の切断形状の中に含まれる楔形状の一辺を成す前記係合面と前記被係合面は、相互食込状傾斜面で構成され、
該相互食込状傾斜面は、前記ＴＥバンドが分離される際に発生する円周方向に働く開栓応力に対して、該応力を中央方向に向けることで相互に食い込み合うように傾斜させるものであり、前記係合面側が前記開栓応力の作用する方向に対して上方（又は下方）且つ後方へ傾く形状の傾斜面であり、前記被係合面側はこれと対応するように上方（又は下方）且つ後方へ傾く形状の傾斜面であり、該該相互食込状傾斜面は前記ＴＥバンドの略中央に設けられる構成から成り、
前記キャップ本体から前記ＴＥバンドが分離される際に発生する円周方向に働く開栓応力に対しては、前記係合面と前記被係合面との係合状態が維持されると共に、
前記ペットボトル容器の落とし込み溝から前記ＴＥバンドを取り外す際の中心から外方向に働く分離応力に対しては、前記係合面と前記被係合面との係合状態が解除されることを特徴とするピルファープルーフキャップ。
【請求項２】
前記ピルファープルーフキャップにおいて、
前記分割部の一端には、他端を係合する前記係合面を少なくとも２以上設け、
該他端には、前記係合面によって係合される前記被係合面を少なくとも２以上設けて成り、
前記分割部の切断形状の中に含まれる前記係合面と前記被係合面が、凹部と凸部との嵌め合い形状の一部に形成され、
前記ＴＥバンドが分離される際に発生する円周方向に働く開栓応力に対し、相互に引っ掛かるように、該凸部の突出部形状及び凹部のへこみ部形状を開栓方向に向かうにつれて広がり形状に形成し、前記係合面と前記被係合面との接触部を２以上設けて係る応力を均等に分散させる形状であり、該凹部と凸部との嵌め合い形状が前記ＴＥバンドの中央に設けられる構成から成ることを特徴とする請求項１に記載のピルファープルーフキャップ。
【請求項３】
前記ＴＥバンドの分割部の周辺に、係合状態の安全性を確認するための目印を設けたことを特徴とする請求項１又は請求項２に記載のピルファープルーフキャップ。
【手続補正２】
【補正対象書類名】明細書
【補正対象項目名】００１９
【補正方法】変更
【補正の内容】
【００１９】
本発明は上記目的を達成するためになされるもので、ペットボトル容器の口頚ネジ部に螺合されるキャップ本体と、該キャップ本体のスカート部の下端に破断ブリッジを介して連結されるＴＥバンドと、から成る合成樹脂製のピルファープルーフキャップにおいて、前記ＴＥバンドは、リング状のバンドの一部を切断して略Ｃ字状のバンドに形成する分割部を設けて成り、前記分割部には一切の弱化ブリッジ部を設けずに、該分割部の一端には、他端を係合する係合面を少なくとも１以上設け、該他端には、前記係合面によって係合される被係合面を少なくとも１以上設けて成り、前記係合面と前記被係合面とは隙間を設けない接触状態で略Ｃ字状の前記ＴＥバンドを形成し、前記分割部の切断形状の中に含まれる楔形状の一辺を成す前記係合面と前記被係合面は、相互食込状傾斜面で構成され、該相互食込状傾斜面は、前記ＴＥバンドが分離される際に発生する円周方向に働く開栓応力に対して、該応力を中央方向に向けることで相互に食い込み合うように傾斜させるものであり、前記係合面側が前記開栓応力の作用する方向に対して上方（又は下方）且つ後方へ傾く形状の傾斜面であり、前記被係合面側はこれと対応するように上方（又は下方）且つ後方へ傾く形状の傾斜面であり、該該相互食込状傾斜面は前記ＴＥバンドの略中央に設けられる構成から成り、前記キャップ本体から前記ＴＥバンドが分離される際に発生する円周方向に働く開栓応力に対しては、前記係合面と前記被係合面との係合状態が維持されると共に、前記ペットボトル容器の落とし込み溝から前記ＴＥバンドを取り外す際の中心から外方向に働く分離応力に対しては、前記係合面と前記被係合面との係合状態が解除される構成を採用した。また、本願発明は、前記ピルファープルーフキャップにおいて、前記分割部の一端には、他端を係合する前記係合面を少なくとも２以上設け、該他端には、前記係合面によって係合される前記被係合面を少なくとも２以上設けて成り、前記分割部の切断形状の中に含まれる前記係合面と前記被係合面が、凹部と凸部との嵌め合い形状の一部に形成され、前記分割部の切断形状の中に含まれる前記係合面と前記被係合面が、凹部と凸部との嵌め合い形状の一部に形成され、前記ＴＥバンドが分離される際に発生する円周方向に働く開栓応力に対し、相互に引っ掛かるように、該凸部の突出部形状及び凹部のへこみ部形状を開栓方向に向かうにつれて広がり形状に形成し、前記係合面と前記被係合面との接触部を２以上設けて係る応力を均等に分散させる形状であり、該凹部と凸部との嵌め合い形状が前記ＴＥバンドの中央に設けられる構成を採用することもできる。

【手続補正３】
【補正対象書類名】明細書
【補正対象項目名】００３２
【補正方法】変更
【補正の内容】
【００３２】
分割部２１の一端２２には他端２３を係合する係合面２４を少なくとも１以上設け、該他端２３には係合面２４によって係合される被係合面２５を少なくとも１以上設けて構成され、該分割部２１には一切の弱化ブリッジ部４１を設けずに、係合面２４と被係合面２５とは隙間を設けない接触状態で略Ｃ字状のＴＥバンド２０が形成される。加工方法は、射出成形加工またはカッター切断加工によるものが一般的であるが、その加工方法に関しては特に限定するものではない。また分割部２１がＴＥバンド２０の内側に設けられているフラップ１３がペットボトル容器３０の上段フランジ３３に係止する位置より下方に設けられているため、開栓時にＴＥバンド２０が伸びて拡張することで上段フランジ３３に乗り上げたりすることがない構造で構成するものである。
【手続補正４】
【補正対象書類名】明細書
【補正対象項目名】００３７
【補正方法】変更
【補正の内容】
【００３７】
図４は、本発明に係る請求項２に記載のピルファープルーフキャップの係合面の実施例を示す説明図であり、図４（a）〜（ｄ）の各図は、分割部２１を構成する係合面２４ならびに被係合面２５の形状を例示したものである。いずれの形状も、キャップ本体１０からＴＥバンド２０が切り離される際に発生する円周方向に働く開栓応力Ｗに対しては、係合面２４ならびに被係合面２５との係合状態が嵌め込み構造によって強力に維持されるものである。分割部における係合面２４と記被係合面３５を形成する切断形状が、凹部と凸部との嵌め合い形状に形成され、ＴＥバンド２０が分離される際に発生する円周方向に働く開栓応力Ｗに対し相互に引っ掛かるように、該凸部の突出部形状が開栓方向に向かうにつれ広がり形状に形成されている。そして更に、係合面２４と被係合面２５との接触部を２以上設けて、係る応力を均等に分散させている形状であり、該凹部と凸部との嵌め合い形状がＴＥバンド２０の中央に設けられる構成から成る。以下、其々の形状を採用した場合の作用効果について説明する。
【手続補正５】
【補正対象書類名】明細書
【補正対象項目名】００４２
【補正方法】変更
【補正の内容】
【００４２】
図５は、本発明に係る請求項１に記載のピルファープルーフキャップの別の係合面の実施例を示す説明図である。図５（a）及び図５（ｂ）の各図に示した係合面形状において特徴的なのは、キャップ本体１０からＴＥバンド２０が切り離される際に発生する円周方向の開栓応力Ｗが楔形状の一辺を成す係合面２４及び被係合面２５に作用すると、垂直方向に向かう圧縮応力とモーメントによる回転方向が対向関係となる点である。係合面２４と被係合面２５を形成する具体的な切断形状は、ＴＥバンド２０が分離される際に発生する円周方向に働く開栓応力Ｗに対し、該開栓応力Ｗを中央方向にむけることで相互に食い込み合うように傾斜した相互食込状傾斜面を有し、該相互食込状傾斜面は、係合面２４が開栓応力の作用する方向に対して上方（又は下方）且つ後方へ向けた傾斜面と、被係合面２５もこれと同様に上方（又は下方）且つ後方へ向けた傾斜面との組み合わせた楔形状の一辺を成す斜面であり、ＴＥバンド２０の幅方向に対して略中央に設けられる。即ち、係合面２４側のＴＥバンド２０により被係合面２５側のＴＥバンド２０が引っ張られると、図５に示すように係合面が傾斜しているため、ＴＥバンド２０一端２２は円周方向の開栓応力Ｗが傾斜角分だけ下方に向かうベクトルとなり、多端２３は、逆に上方へ向かうベクトルとなり、相互に対等且つ対向の応力が中心方向に働くため、離れにくくなる作用を生じる構成の相互食込状傾斜面形状とした点である。以下、其々の形状を採用した場合の作用効果について説明する。なお、図５に例示した形状は、該開栓応力Ｗを１箇所のみの構成とした場合を例示しているが、２箇所以上として応力を分散させてもよい。
【手続補正書】
【提出日】平成24年3月11日(2012.3.11)
【手続補正１】
【補正対象書類名】特許請求の範囲
【補正対象項目名】請求項１
【補正方法】変更
【補正の内容】
【請求項１】
ペットボトル容器の口頚ネジ部に螺合されるキャップ本体と、
該キャップ本体のスカート部の下端に破断ブリッジを介して連結されるＴＥバンドと、
から成る合成樹脂製のピルファープルーフキャップにおいて、
前記ＴＥバンドは、リング状のバンドの一部を切断して略Ｃ字状のバンドとする分割部を設けて成り、
該分割部の切断形状は、少なくとも三辺以上の切断面から構成される略楔形に形成され、
該分割部には一切の弱化ブリッジ部を設けず、
該分割部の一端には、前記略楔形を成す少なくとも三辺の切断面のうち、他端を係合するための係合面を有し、
該分割部の他端には、前記略楔形を成す少なくとも三辺の切断面のうち、前記係合面に対応して係合される被係合面を有し、
前記係合面と前記被係合面とは隙間を設けない接触状態で略Ｃ字状の前記ＴＥバンドを形成し、
前記係合面が上方から開栓力の作用する方向に向かいながら下方へ傾く傾斜面である場合は、前記被係合面は該係合面と対応するように上方から開栓力の作用する方向に向かいながら下方へ傾く傾斜面となり、
前記係合面が下方から開栓力の作用する方向に向かいながら上方へ傾く傾斜面である場合は、前記被係合面は該係合面と対応するように下方から開栓力の作用する方向に向かいながら上方へ傾く傾斜面であり、
前記分割部の切断形状の中に含まれる前記係合面と前記被係合面は、相互食込状傾斜面として前記ＴＥバンドの略中央に設けられ、
該相互食込状傾斜面は、前記分割部を構成する切断面のうち、前記ＴＥバンドが前記キャップ本体と分離される際に加えられる円周方向への開栓力を受けて、該開栓力を相互に及ぼし合う面であり、該開栓力を中央方向に向けることで前記分割部の一端と他端における返り状の山部と谷部が相互に食い込み合い、前記係合面と前記被係合面との係合状態は維持され、
他方、前記ペットボトル容器の落とし込み溝から前記ＴＥバンドを取り外す際の中心から外方向に働く分離力に対しては、前記係合面と前記被係合面との係合状態は解除されることを特徴とするピルファープルーフキャップ。
【手続補正２】
【補正対象書類名】明細書
【補正対象項目名】全文
【補正方法】変更
【補正の内容】
【発明の詳細な説明】
【技術分野】
【０００１】
本発明は、タッパーエビネンスバンドにおけるいたずら防止機能とペットボトル容器からの離脱機能を併せ持つ合成樹脂製のピルファープルーフキャップに関する。
【背景技術】
【０００２】
１９９５年に制定された容器包装リサイクル法により、飲料業界の１Ｌ未満の飲料用ペットボトルの自主規制が１９９６年に解除され、小型容量のペットボトル飲料が広く普及し流通するようになった。
【０００３】
そのペットボトル飲料の普及に伴ってペットボトル容器の中に除草剤や液体洗剤を混入させるいたずら事件が発生し、その防止手段としてタッパーエビネンス（いたずら防止）機能を備えたピルファープルーフキャップが開発され、今日に至っている。
【０００４】
ピルファープルーフキャップのいたずら防止機能は、キャップ本体を反時計回りに回すとキャップ本体とタッパーエビネンスバンド(以下ＴＥバンドと呼ぶ)を繋ぐ破断ブリッジが千切れ、略１回りしたところでキャップ本体とＴＥバンドが完全に切り離される機能と、該ＴＥバンドが切り離される同時にペットボトル容器の口頚部の密栓状態が解除される二つの機能を備えているものである。係るピルファープルーフキャップには、開封後もＴＥバンドがキャップ本体に繋がっている一体型（ラチェット式）タイプと、開封後はＴＥバンドがキャップ本体から完全に分離される分離型タイプの二つのタイプがある。
【０００５】
一体型タイプのピルファープルーフキャップとしては、例えば、「ラチェット式螺子キャップ」（特許文献１）などの技術が提案されている。しかし、該提案は破断性、分離性、及びリサイクル性には優れるものの、外観美観性、リキャップ性、防犯性、安全性、及び分別廃棄性には問題があり、特に環境問題や製造物責任法（ＰＬ法）の観点から、現在では合成樹脂製のピルファープルーフキャップに使用されることが少なくなってきているという現状にある。
【０００６】
他方、分離型タイプのピルファープルーフキャップとしては、外観美観性、リキャップ性、防犯性、安全性、及び分離性に優れており、現在のペットボトルキャップのほとんどに採用されるようになった。しかし、分離型タイプのピルファープルーフキャップは、ＴＥバンドが使用済みのペットボトル容器に装着されたままの状態となることから、分別廃棄性、リサイクル性に問題点が残るものであり、特に「簡易洗浄」と、「ラベルの剥離」と、「キャップの分離」と言う容器リサイクル法に定められた排出者の義務を負うことができないでいるものである。
【０００７】
そこで、係るＴＥバンドを分割して脱着可能とすることが考えられるが、分割構造とするには以下に示す問題点を解決しなければならない。
（1）ペットボトル容器の口頚部がＴＥバンドの分割部の切り込みの間から露出することによってＴＥバンドが破壊された不良品と見られて商品価値を下げる外観美観性を損なうおそれの問題。
（2）キャップの開栓時において、ＴＥバンドが円周方向に伸びて拡張し、落とし込み溝の上段フランジを乗り越えてＴＥバンドがキャップ本体から破断しないという破断性の問題。
（3）ＴＥバンドがリキャップ時にキャップ本体に連なっていて、リキャップ作業がやり辛いリキャップ性の問題。
（4）ＴＥバンドの分割部の切込みを悪意的に細工することができない防犯性の問題。
（5）ＴＥバンドを幼児が飲み込む危険や、キャップ本体に繋がったバンドの先端で目を刺したり、指を切る危険がない安全性の問題。
（6）ＴＥバンドをペットボトル容器本体から道具などを用いることなく簡単に分離することができる分離性の問題。
（7）ＴＥバンドの安易な投げ捨て行為や、分別収集作業における人件費の負担を軽減することができる分別廃棄性の問題。
（8）ペットボトル容器とキャップが完全に分離されるリサイクル処理コストの抑制と、マテリアルリサイクルの品質向上を図るリサイクル性向上の問題。
【０００８】
このような問題に鑑み、従来より、上記の分離型タイプのピルファープルーフキャップの問題点を解決しようとする提案が種々なされている。その構造を大別すると、ＴＥバンドにスリットを入れて分断したものと、ＴＥバンドにスリットを入れて弱化ブリッジで繋いだものに別けることができる。
【０００９】
ＴＥバンドにスリットを入れて分断したものとしては、例えば、「容器蓋」（特許文献２）や、「ピルファープルーフ特性を有する合成樹脂製容器蓋」（特許文献３）が提案されている。
【００１０】
しかしながら、それらの「容器蓋」ならびに「ピルファープルーフ特性を有する合成樹脂製容器蓋」の提案は、ＴＥバンドのスリットが完全に分離しているため、分離性、リキャップ性、分別廃棄性、及びリサイクル性に優れるが、外観美観性、破断性、防犯性、及び安全性には問題が残るものであった。
【００１１】
また、ＴＥバンドにスリットを入れて弱化ブリッジで繋いだものとしては、例えば、「ピルファープルーフキャップ」（特許文献４）が提案されている。
【００１２】
しかしながら、係る「ピルファープルーフキャップ」の提案は、ＴＥバンドのスリット下端が弱化ブリッジで繋いであるため、破断性、リキャップ性、防犯性、及び安全性には優れるが、外観美観性、分離性、分別廃棄性、及びリサイクル性には問題が残るものであった。
【００１３】
また、キャップ本体の緩み止め防止機能を向上させた「瓶及びキャップ」の技術が提案されている（特許文献５参照）。
【００１４】
係る技術は本願発明とは課題が大きく相違しており、また、分離力の向きや分離に関する記載も示唆もないが、一見すると、当該文献の図１、図５、図１０にはＴＥバンドを分割した構成が記載されている。しかしながら、係る技術は、ＴＥバンドによってキャップ本体の緩みを防止する技術であり、本願発明とは課題及び解決手段を大きく異にするものである。また、係る技術によると、弾性による変形量を許容するための範囲を制限する手段としては、分割部に隙間が形成されることが必須条件であって、その結果、分割部には工具等でいたずらされる可能性がある隙間が生じるものであり、係る隙間の存在は、ＴＥバンドそもそもの目的であるタッパーエビネンス機能を低下させてしまうという大きな問題を残すものであった。
【００１５】
以上のように従来のピルファープルーフキャップの何れの提案も、ＴＥバンドにおける外観美観性、破断性、リキャップ性、防犯性、安全性、分離性、分別廃棄性、及びリサイクル性の全てを満たすことができないものであり、特に致命的な問題点は、ＴＥバンドにスリットを入れて分断したものにおいては、ＴＥバンドが開栓時に円周方向に伸びて拡張し、落とし込み溝の上段フランジを乗り越えてＴＥバンドが千切れない状態になる破断性問題と、ペットボトル容器の口頚部が分割部の切り込みの間から露出して商品価値を下げる外観美観性の問題と、スリットを意図的に細工することができる防犯性の問題が指摘される。他方、ＴＥバンドにスリットを入れて弱化ブリッジで繋いだものにおいては、ＴＥバンドをペットボトル容器本体から道具などを用いなくては切り離すことができない分離性の問題が指摘されるものであり、その破断性、外観美観性、防犯性、及び分離性の問題を全て解決できるピルファープルーフキャップは、現在においても提供されてはいないものである。
【００１６】
本願発明者は、合成樹脂製のピルファープルーフキャップのＴＥバンドにおける上記の全ての問題点を解決するために、開栓力と分離力の向きの相違に着目し、キャップ本体からＴＥバンドが切り離される際に発生する円周方向に働く開栓力に対しては、係合面と被係合面の係合状態を維持し、容器の落とし込み溝からＴＥバンドを取り外す際の中心から外方向に働く分離力に対しては、係合面と被係合面の係合状態が解除することができる構成のＴＥバンドを採用することができれば、ＴＥバンドのＴＥ性と分別廃棄の分離性を併せ持つことができるのではないかとの着想の下、本出願における「ピルファープルーフキャップ」の提案に至ったものである。なお、本書面中における係合面と被係合面とは隙間を設けない接触状態にあるものである。
【先行技術文献】
【特許文献】
【００１７】
【特許文献１】特開２００７-４５４８５号公報
【特許文献２】特開平６-１５６５１６号公報
【特許文献３】特開昭５７-２８７６７号公報
【特許文献４】特開２００３-５４５９７号公報
【特許文献５】特開２００２−１２０８５２号公報
【発明の概要】
【発明が解決しようとする課題】
【００１８】
本発明は上記問題点に鑑み、ＴＥバンドにおけるいたずら防止機能とペットボトル容器からの離脱機能を併せ持つ合成樹脂製のピルファープルーフキャップの提供を図る。
【課題を解決するための手段】
【００１９】
本発明は上記目的を達成するためになされるもので、ペットボトル容器の口頚ネジ部に螺合されるキャップ本体と、該キャップ本体のスカート部の下端に破断ブリッジを介して連結されるＴＥバンドと、から成る合成樹脂製のピルファープルーフキャップにおいて、前記ＴＥバンドは、リング状のバンドの一部を切断して略Ｃ字状のバンドとする分割部を設けて成り、該分割部の切断形状は、少なくとも三辺以上の切断面から構成される略楔形に形成され、該分割部には一切の弱化ブリッジ部を設けず、該分割部の一端には、前記略楔形を成す少なくとも三辺の切断面のうち、他端を係合するための係合面を有し、該分割部の他端には、前記略楔形を成す少なくとも三辺の切断面のうち、前記係合面に対応して係合される被係合面を有し、前記係合面と前記被係合面とは隙間を設けない接触状態で略Ｃ字状の前記ＴＥバンドを形成し、前記係合面が上方から開栓力の作用する方向に向かいながら下方へ傾く傾斜面である場合は、前記被係合面は該係合面と対応するように上方から開栓力の作用する方向に向かいながら下方へ傾く傾斜面となり、前記係合面が下方から開栓力の作用する方向に向かいながら上方へ傾く傾斜面である場合は、前記被係合面は該係合面と対応するように下方から開栓力の作用する方向に向かいながら上方へ傾く傾斜面であり、前記分割部の切断形状の中に含まれる前記係合面と前記被係合面は、相互食込状傾斜面として前記ＴＥバンドの略中央に設けられ、該相互食込状傾斜面は、前記分割部を構成する切断面のうち、前記ＴＥバンドが前記キャップ本体と分離される際に加えられる円周方向への開栓力を受けて、該開栓力を相互に及ぼし合う面であり、該開栓力を中央方向に向けることで前記分割部の一端と他端における返り状の山部と谷部が相互に食い込み合い、前記係合面と前記被係合面との係合状態は維持され、他方、前記ペットボトル容器の落とし込み溝から前記ＴＥバンドを取り外す際の中心から外方向に働く分離力に対しては、前記係合面と前記被係合面との係合状態は解除される構成を採用した。また、本願発明は、前記ピルファープルーフキャップにおいて、前記分割部の一端には、他端を係合する前記係合面を少なくとも２以上設け、該他端には、前記係合面によって係合される前記被係合面を少なくとも２以上設けて成り、前記分割部の切断形状の中に含まれる前記係合面と前記被係合面が、凹部と凸部との嵌め合い形状の一部に形成され、前記分割部の切断形状の中に含まれる前記係合面と前記被係合面が、凹部と凸部との嵌め合い形状の一部に形成され、前記ＴＥバンドが分離される際に発生する円周方向に働く開栓力に対し、相互に引っ掛かるように、該凸部の突出部形状及び凹部のへこみ部形状を開栓方向に向かうにつれて広がり形状に形成し、前記係合面と前記被係合面との接触部を２以上設けて係る応力を均等に分散させる形状であり、該凹部と凸部との嵌め合い形状が前記ＴＥバンドの中央に設けられる構成を採用することもできる。
【００２０】
また本発明は、前記ＴＥバンドの分割部の周辺に係合状態の安全性を確認するための目印を設けた構成を採用することも有効である。
【発明の効果】
【００２１】
本発明に係るピルファープルーフキャップによれば、分割部の一端には、他端を係合する係合面を少なくとも１以上設けられ、該他端には、係合面によって係合される被係合面を少なくとも１以上設けられていることによって、キャップ本体からＴＥバンドが分離される際に発生する円周方向に働く開栓力に対しては、係合面と被係合面との係合状態が維持する構造のＴＥバンドを備えたことによって、破断性、外観美観性、防犯性、及び分離性の確保ができるという優れた効果を奏する。
【００２２】
また本発明に係るピルファープルーフキャップによれば、ペットボトル容器の落とし込み溝からＴＥバンドを取り外す際の中心から外方向に働く分離力に対しては、係合面と被係合面との係合状態を容易に解除できることから、道具などを使用することなく簡単にＴＥバンドを分離することができるという優れた効果を奏する。
【００２３】
また本発明に係るピルファープルーフキャップによれば、ペットボトル容器とＴＥバンドが業務用ならびに家庭用と共に完全に分離することができるため、リサイクル性の能率向上、再生コストの削減、分別作業における人件費の削減、リサイクル処理コストの抑制、及びマテリアルリサイクルの品質向上も図れるという優れた効果を奏する。
【００２４】
また本発明に係るピルファープルーフキャップによれば、分割部の形状が意図的に形成される幾何学形状であるため、外観美観性と安全性を同時に備えるＴＥバンドの提供ができるという優れた効果も奏する。
【図面の簡単な説明】
【００２５】
【図１】本発明に係るピルファープルーフキャップの全体の形状を示す説明図である。（実施例１）
【図２】本発明に係るピルファープルーフキャップの使用状態を示す説明図である。
【図３】本発明に係るピルファープルーフキャップの作用状態を示す説明図である。
【図４】本発明に係るピルファープルーフキャップの係合面の実施例を示す説明図である。（実施例２）
【図５】本発明に係るピルファープルーフキャップの別の係合面の実施例を示す説明図である。（実施例３）
【図６】本発明に係るピルファープルーフキャップの使用手順を示す説明図である。
【図７】本発明に係るピルファープルーフキャップの安全性を確認する目印を示す説明図である。（実施例４）
【図８】本発明に係るピルファープルーフキャップのいたずら行為を示す説明図である。
【図９】本発明に係るピルファープルーフキャップの従来の実施例を示す説明図である。
【発明を実施するための形態】
【００２６】
本発明のピルファープルーフキャップは、リング状のＴＥバンドの一部を切断して略Ｃ字状のバンドとする分割部を設け、キャップ本体からＴＥバンドが分離される際に発生する円周方向に働く開栓力に対しては、係合面と被係合面との係合状態が維持されると共に、ペットボトル容器の落とし込み溝からＴＥバンドを取り外す際の中心から外方向に働く分離力に対しては、係合面と被係合面との係合状態を容易に解除できる構成を採用したことを最大の特徴とするものである。以下、本発明を実施するための実施形態を図面に基づいて説明する。
【００２７】
本発明に係るピルファープルーフキャップにおけるＴＥバンドの分割部の係合面ならびに被係合面の形状は、下記に述べる実施例に限定されるものではなく、本発明の技術的思想の範囲内、即ち、開栓力と分離力との関係における分割部の係合状態として、同一の作用効果を発揮できる形状及び寸法の範囲内で変更することができるものである。
【実施例１】
【００２８】
図１は、本発明に係るピルファープルーフキャップの全体の形状を示す説明図である。
図１（a）はピルファープルーフキャップ１の全体斜視図を示し、図１（b）はピルファープルーフキャップ１の底面図を示す。
本発明におけるピルファープルーフキャップ１は、ペットボトル容器３０の口頚ネジ部３１に螺合されるキャップ本体１０と、該キャップ本体１０のスカート部１１の下端に破断ブリッジ１２を介して連結されるＴＥバンド２０と、から成る合成樹脂製のピルファープルーフキャップ１であって、ＴＥバンド２０は、リング状のバンドの一部を切断して略Ｃ字状のバンドとする分割部２１を設けて構成される。
【００２９】
図１（c）はＴＥバンド２０の分割部２１の要部拡大図を示す。
分割部２１の一端２２には、他端２３を係合する係合面２４を少なくとも１以上設け、該他端２３には、係合面２４によって係合される被係合面２５を少なくとも１以上設けて成り、図３に示すような、キャップ本体１０からＴＥバンド２０が切り離される際に発生する円周方向に働く開栓力Ｗに対しては、係合面２４と被係合面２５との係合状態が維持されると共に、ペットボトル容器３０の落とし込み溝３２からＴＥバンド２０を取り外す際の中心から外方向に働く分離力Ｒに対しては、係合面２４と被係合面２５との係合状態が解除されるものである。
【００３０】
キャップ本体１０は、ペットボトル容器３０の口頚ネジ部３１に螺合されるポリプロピレン樹脂製等の密閉キャップで、スカート部１１にはスベリ止め用の複数本のナール線が施され、下端には、破断ブリッジ１２によって切り離されるフラップ１３が内設されたＴＥバンド２０が連結されている。天面内側には、ＴＥバンド２０が切り離される同時にキャップ本体１０内部のパッキンとペットボトル容器３０の口頚上部との密栓状態が音と共に解除されることでペットボトル容器３０の内部に外気が入り込み、飲料水の液面が下がる従来技術のいたずら防止機能を備えることができるものである。なお、キャップ色は基本的には白色をしているが、高温度帯用ではオレンジ色、冷凍温度帯用ではブルー色が施されているのが一般的である。
【００３１】
ＴＥバンド２０は、リング状のバンドの一部を切断して略Ｃ字状のバンドとする分割部２１を設けて成り、キャップ本体１０と同じくポリプロピレン樹脂製でキャップ本体１０に対してやや肉厚のテーパ状の平滑面を形成してキャップ本体１０の下端に破断ブリッジ１２を介して連結されるもので、キャップ本体１０を反時計回りに回すとキャップ本体１０とＴＥバンド２０を繋ぐ破断ブリッジ１２が千切れ、略１回り程回り切ったところでキャップ本体１０とＴＥバンド２０が完全に切り離される機能を有している。
【００３２】
分割部２１の切断形状は、少なくとも三辺以上から構成される略楔形に形成され、該分割部２１には一切の弱化ブリッジ部４１を設けず、該分割部２１の一端には、略楔形を成す少なくとも三辺の切断面のうち、他端２３を係合するための係合面２４を有し、該分割部２１の他端２３には、略楔形を成す少なくとも三辺の切断面のうち、係合面２４と対応して係合される被係合面２５を有し、係合面２４が上方から開栓力Ｗの作用する方向に向かいながら下方へ傾く傾斜面である場合は、被係合面２５は該係合面２４と対応するように上方から開栓力Ｗの作用する方向に向かいながら下方へ傾く傾斜面となり、係合面２４が下方から開栓力Ｗの作用する方向に向かいながら上方へ傾く傾斜面である場合は、被係合面２５は該係合面２４と対応するように下方から開栓力Ｗの作用する方向に向かいながら上方へ傾く傾斜面であり、係合面２４と被係合面２５とは隙間を設けない接触状態で略Ｃ字状のＴＥバンド２０が形成される。加工方法は、射出成形加工またはカッター切断加工によるものが一般的であるが、その加工方法に関しては特に限定するものではない。また分割部２１がＴＥバンド２０の内側に設けられているフラップ１３がペットボトル容器３０の上段フランジ３３に係止する位置より下方に設けられているため、開栓時にＴＥバンド２０が伸びて拡張することで上段フランジ３３に乗り上げたりすることがない構造で構成するものである。
【００３３】
ペットボトル容器３０は、ポリエチレンテレフタレート（ＰＥＴ）樹脂製等の190ｍｌ〜4Ｌ容量までの無色透明なペットボトル等であって、形状は、従来型ならびに炭酸用の凸半球型ペットボトルと、炭酸用の丸型ペットボトルと、無炭酸用の角型ペットボトルがある。部品構成は、ピルファープルーフキャップ１をペットボトル容器３０の口頚ネジ部３１で螺合し、該口頚ネジ部３１の下方部に設けられる上段フランジ３３と下段フランジ３４で形成される落とし込み溝３２にＴＥバンド２０が収納されて構成される。
【００３４】
図２は、本発明に係るピルファープルーフキャップの使用状態を示す説明図である。
ピルファープルーフキャップ１の開封状態を図を基に説明すると、キャップ本体１０を反時計回りに回すとキャップ本体１０とＴＥバンド２０が、120〜180度程一緒に回り、180度付近からキャップ本体１０とＴＥバンド２０を繋ぐ破断ブリッジ１２が「メリメリ」と言う音を立てながら離れ始め、略270度超える辺り（破断後にリークを開始する角度をＬＢ角度と言う）から「ブチッ」と言う音と共に破断ブリッジ１２が千切れ、略270〜360度程回り切ったところでキャップ本体１０とＴＥバンド２０が完全に切り離される機能と、該ＴＥバンド２０が切り離される同時にキャップ本体１０の天面内部のパッキンとペットボトル容器３０の口頚上部との密栓状態が「シュポ！」と言う音と共に解除されることでペットボトル容器３０の内部に外気が入り込み、充填される飲料水の液面が下がって開封される機能を備えるものである。
【００３５】
図３は、本発明に係るピルファープルーフキャップの作用状態を示す説明図である。
図３（a）は、ＴＥバンド２０の円周方向の開栓力Ｗに対する説明図を示す。
分割部２１の一端２２には、他端２３を係合する係合面２４を少なくとも１以上設け、該他端２３には、係合面２４によって係合される被係合面２５を少なくとも１以上設けて成り、キャップ本体１０からＴＥバンド２０が切り離される際に発生する円周方向に働く開栓力Ｗに対しては、係合面２４と被係合面２５との係合状態が維持されるものである。
【００３６】
図３（b）は、ＴＥバンド２０の外方向に働く分離力Ｒに対する説明図を示す。
分割部２１の一端２２には、他端２３を係合する係合面２４を少なくとも１以上設け、該他端２３には、係合面２４によって係合される被係合面２５を少なくとも１以上設けて成り、ペットボトル容器３０の落とし込み溝３２からＴＥバンド２０を取り外す際の中心から外方向に働く分離力Ｒに対しては、係合面２４と被係合面２５との係合状態が解除されるものである。
【実施例２】
【００３７】
図４は、本発明に係るピルファープルーフキャップの係合面の実施例を示す説明図であり、図４（a）〜（ｄ）の各図は、分割部２１を構成する係合面２４ならびに被係合面２５の形状を例示したものである。いずれの形状も、キャップ本体１０からＴＥバンド２０が切り離される際に発生する円周方向に働く開栓力Ｗに対しては、係合面２４ならびに被係合面２５との係合状態が嵌め込み構造によって強力に維持されるものである。また、図４に例示した形状は該開栓力Ｗを２箇所以上に分散させている。以下、其々の形状を採用した場合の作用効果について説明する。
【００３８】
図４（a）は、極めてシンプルな三角形構造により係合される構成の係合面形状を示したものであり、係合面２４ならびに被係合面２５を形成する辺数が極めて少ないことから加工が容易なものである。係る形状を採用した場合において、円周方向に開栓応力Ｗが作用すると、係合面２４及び被係合面２５を介して、係合面２４側のＴＥバンド２０及び被係合面２５側のＴＥバンド２０の其々に引張応力を加えると共に、該円周方向に対する垂直方向（以下、単に垂直方向という。）の応力として、係合面２４側のＴＥバンド２０には上下方向への圧縮応力と、被係合面２５側のＴＥバンド２０には中心方向への圧縮応力とが、其々働く構成となる。従って、分割部２１の係合面２４側のＴＥバンド２０の上下における最小幅部となる鋭角部には、引張応力のみならず、これを起点として開口しようとするモーメントも生じるため、これに耐え得る耐曲げ応力も考慮し、素材の強度等から寸法ならびに形状が決定されるものである。
【００３９】
図４（b）は、極めてシンプルな円形構造の係合面形状を示したものであり、係合面２４ならびに被係合面２５を円形の曲面で形成することで集中荷重の発生を防ぎ、クラックの発生を抑制して破断性を向上させるものである。また、分割部２１の製造段階で形成した切込みであって、後から故意に細工されたものではないと容易に認識できる形状であり、ペットボトル飲料等を購入する際の安心感にも寄与する。係る形状を採用した場合は、係合面２４は開栓力Ｗにより被係合面２５の円周方向には引張応力を加えると共に、垂直方向に対しては被係合面２５に圧縮応力を加える構造となる。なお、鋭角部を有しないため応力分布がなだらかであり、図４（ａ）と比較するとクラック発生の抑制効果が高い。但し、モーメントについては図４（ａ）と同様、分割部２１の係合面２４側のＴＥバンド２０の上下における幅が最小となる部分には、引張応力のみならず、これを起点として開口しようとするモーメントに耐え得る耐曲げ応力も考慮し、素材の強度等から寸法ならびに形状が決定されるものである。
【００４０】
図４（ｃ）は、係合面２４と被係合面２５の係合面が垂直方向に接触面を形成する形状を例示したものである。係る形状を採用した場合において、円周方向に開栓力Ｗが作用すると、係合面２４及び被係合面２５を介して、係合面２４側のＴＥバンド２０及び被係合面２５側のＴＥバンド２０の其々最小幅部に引張応力が働く構成である。従って、係合面２４側のＴＥバンド２０及び被係合面２５側のＴＥバンド２０の其々の幅が最小となる部分には、該引張応力に耐え得る耐引張荷重を考慮し、素材の強度等から寸法ならびに形状が決定されるものである。
【００４１】
図４（ｄ）は、円形構造の係合面２４ならびに被係合面２５が連続して形成して係合される係合面形状を示したものであり、記図４（ｂ）と同様に、係合面２４ならびに被係合面２５を円形の曲面で形成することで集中荷重の発生を防ぎ、クラックの発生を抑制して破断性を向上させるものである。また、分割部２１の製造段階で形成した切込みであって、後から故意に細工されたものではないと容易に認識できる形状であり、ペットボトル飲料等を購入する際の安心感にも寄与する。係る形状を採用した場合は、係合面２４は開栓力Ｗにより被係合面２５の円周方向には引張応力を加えると共に、垂直方向に対しては被係合面２５に圧縮応力を加える構造となる。なお、鋭角部を有しないため応力分布がなだらかであり、図４（ａ）と比較するとクラック発生の抑制効果が高い。但し、前記モーメントについては図４（ａ）と同様、分割部２１の係合面２４側のＴＥバンド２０の上下における幅が最小となる部分には、引張応力のみならず、これを起点として開口しようとするモーメントに耐え得る耐曲げ応力も考慮し、素材の強度等から寸法ならびに形状を決定されるものである。なお、係る形状では円周方向に働く開栓力Ｗを３箇所に分散して破断し難い構造としている点、及び開口しようとする曲げ応力を被係止面２５側のＴＥバンド２０にも同様に働かせている点で、図４（ａ）〜（ｃ）とその構成を異にしている。
【実施例３】
【００４２】
図５は、本発明に係る請求項１に記載のピルファープルーフキャップの係合面の実施例を示す説明図である。図５（a）及び図５（ｂ）の各図に示した係合面形状において特徴的なのは、分割部２１の切断形状の中に含まれる係合面２４と被係合面２５を、相互食込状傾斜面としてＴＥバンド２０の略中央に設けた点である。即ち、キャップ本体１０からＴＥバンド２０が切り離される際の円周方向への開栓力Ｗが係合面２４及び被係合面２５に作用すると、其々の該傾斜面に平行な方向の力と該傾斜面に垂直な方向の力が相互に及ぼし合い、分割部２１の一端２２と他端２３における返り状の山部と谷部が相互に食い込み合って、係合面２４と被係合面２５との係合状態は維持され、他方、ペットボトル容器の落とし込み溝３２からＴＥバンド２０を取り外す際の中心から外方向に働く分離力Ｒに対しては、係合面２４と被係合面２５との係合状態は解除される作用を生じる構成の相互食込状傾斜面形状とした点である。以下、其々の形状を採用した場合の作用効果について説明する。なお、図５に例示した形状は、該開栓力Ｗを１箇所のみの構成とした場合を例示しているが、２箇所以上として力を分散させてもよい。
【００４３】
図５（a）は、分割部２１の切込みを、相互食込状傾斜面形状にする場合において、最もシンプルな三辺構造により前記作用効果を発揮させることが可能となる係合面形状を示したものである。係合面２４ならびに被係合面２５を形成する辺数が極めて少ないことから分割部２１の加工を容易なものとするものである。
【００４４】
図５（b）は、図５（ａ）と同様に、分割部２１の切込みを相互食込状傾斜面形状としつつ、クランク状の屈曲形状を形成して、ＴＥバンド２０の垂直方向における最小幅部を分布させることで、耐引張荷重の向上を図るものである。
【００４５】
図６は、本発明に係るピルファープルーフキャップの使用手順を示す説明図である。
（1）ペットボトル容器３０がピルファープルーフキャップ１によって密封されている。
（2）キャップ本体１０を反時計回りに回すとＴＥバンド２０の破断ブリッジ１２が千切れて切り離される同時に、キャップ本体１０内部のパッキンとペットボトル容器３０の口頚上部との密栓状態が解除され、開封することによってキャップ本体１０が外される。この時、ＴＥバンド２０の分割部２１には円周方向に開栓力Ｗが働くが、キャップ本体１０とＴＥバンド２０は破断されるまで半時計方向に同時に回転する。
（3）ＴＥバンド２０がペットボトル容器３０の口頚ネジ部３１の下方部に設けられる上段フランジ３３と下段フランジ３４で形成される落とし込み溝３２に分割部２１が係合された状態で落とし込まれ、収納される。
（4）ＴＥバンド２０の分割部２１を指先で軽く中心から外方向に分離力Ｒをかけて引いてやると、ＴＥバンド２０はペットボトル容器３０の落とし込み溝３２から自然に外れる。
（5）ＴＥバンド２０をペットボトル容器３０から離脱させる。
（6）終了
【００４６】
以上のように、道具や大きな分離力Ｒを必要とすることなく、ＴＥバンド２０をペットボトル容器３０から容易に離脱させることができるものである。
【実施例４】
【００４７】
図７は、本発明に係るピルファープルーフキャップの安全性を確認する目印を示す説明図である。ＴＥバンド２０の分割部２１の周辺に係合状態の安全性を目視するための目印２９を設けることによって、製造段階で形成した切込みであるか否かを確認できると同時に、使用するユーザーに安心感を与える構成とするものである。例えば、図７（a）は、分割部２１の切込みの両側にドットホール２９aを設けてその領域内に設けられた切込みの安全性を視認させる方法を示し、図７（b）は、分割部２１の切込みの周辺エリアを色分けして切込みの安全性を視認させる方法を示し、図７（c）は、分割部２１の切込み自体に面取りを設けたり、切込み自体を色付けして目立たせる方法を採ることもできるものである。
【００４８】
図８は、本発明に係るピルファープルーフキャップのいたずら行為を示す説明図である。
図８（a）は正常な状態を示しており、ＴＥバンド２０がペットボトル容器３０の上段フランジ３３と下段フランジ３４で形成される落とし込み溝３２に落とし込まれ、収納されている。
【００４９】
図８（b）はいたずら行為をしようとする状態を示す。いたずら行為をしようとする場合、分割部２１の切込みの係合面２４ならびに被係合面２５の付け根２８をカッターＫなどで細工しようとすると、係合面２４を形成する舌片２６が根元から脱落して溝２７が繰り抜かれた状態になり、さらに付け根２８にカッターＫの切れ目が入ることにより、いたずら行為の痕跡が明確に視認できる状態となり、結果的にいたずら行為の防止が図れるものである。
【００５０】
図９は、本発明に係るピルファープルーフキャップの従来の実施例を示す説明図である。
図９（a）〜（ｄ）の各図は、従来のスリット４０の実施例を示すものである。
ＴＥバンド２０にスリット４０を入れて分断したもので、ＴＥバンド２０のスリット４０が円周方向に完全に分離しているため、外観美観性、破断性、防犯性、及び安全性に問題があるものであった。
【００５１】
図９（e）は、従来のスリット４０の別の実施例を示すものである。
ＴＥバンド２０のスリット４０の上端が弱化ブリッジ４１で繋いであるものである。
この状態の弱化ブリッジ４１は、キャップ本体１０の回転によって千切れることができないばかりか極小または極細の弱化ブリッジ４１であっても、材質の強度が極めて高いことから工具等を使用しなければ破断することができないため、破断性及び分離性に問題があるものであった。また、キャップ本体１０のスカート部１１の下端部がキャッピング時に末広がりに拡張してしまう可能性もあるものである。
【００５２】
図９（f）は、従来のスリット４０の別の実施例を示すものである。
ＴＥバンド２０のスリット４０の上端が弱化ブリッジ４１で繋いであるものである。
この状態の弱化ブリッジ４１は、キャップ本体１０の回転によって千切れることができないばかりか極小または極細の弱化ブリッジ４１であっても、材質の強度が極めて高いことから工具等を使用しなければ破断することができないため、分離性に問題があるものである。
【産業上の利用可能性】
【００５３】
本発明のピルファープルーフキャップは、ペットボトル飲料容器のＴＥ性を有するキャップを実施例として説明しているが、飲料用のピルファープルーフキャップ以外、例えば食品容器用、医療容器用、および工業用容器用のピルファープルーフキャップとしても広く利用することができるもので、本発明のピルファープルーフキャップの産業上の利用可能性は大とするものと解する。
【符号の説明】
【００５４】
１    ピルファープルーフキャップ
１０  キャップ本体
１１  スカート部
１２  破断ブリッジ
１３  フラップ
２０  ＴＥバンド
２１  分割部
２２  一端
２３  他端
２４  係合面
２５  被係合面
２６  舌片
２７  溝
２８  付け根
２９  目印
２９aドットホール
３０  ペットボトル容器
３１  口頚ネジ部
３２  落とし込み溝
３３  上段フランジ
３４  下段フランジ
４０  スリット
４１  弱化ブリッジ
Ｗ    開栓力
Ｒ    分離力
Ｋ    カッター